(57)【要約】【課題】補間前の画像信号が消画される場合において、補間後の画像信号の画質を向上させる。【解決手段】MPU３１は、入力された時系列の各画素の画像信号である入力画像信号が消画されているかどうかを判定する。フレームレート変換部６１は、入力画像信号の動きベクトルを検出する。また、フレームレート変換部６１は、入力画像信号が消画されていないと判定された場合、動きベクトルに基づいて、入力画像信号と、その入力画像信号の１つ前の入力画像信号である前入力画像信号の間の任意の時刻における画像信号である補間信号を補間して出力し、入力画像信号が消画されていると判定された場合、前入力画像信号を、そのまま補間信号として出力する。本発明は、例えば、テレビジョン受像機に適用することができる。【選択図】図４
2008263530.tif 000002
【特許請求の範囲】
【請求項１】
入力された時系列の各画素の画像信号である入力画像信号の動きベクトルを検出する検出手段と、
前記入力画像信号が消画されているかどうかを判定する判定手段と、
前記入力画像信号が消画されていないと判定された場合、前記動きベクトルに基づいて、前記入力画像信号と、その入力画像信号の１つ前の入力画像信号である前入力画像信号の間の任意の時刻における画像信号である入力画像信号間信号を補間して出力し、前記入力画像信号が消画されていると判定された場合、前記前入力画像信号を、そのまま前記入力画像信号間信号として出力する補間手段と
を備える画像処理装置。
【請求項２】
前記入力画像信号を消画する消画手段
をさらに備える
請求項１に記載の画像処理装置。
【請求項３】
所定の指令を受け付ける受付手段
をさらに備え、
前記判定手段は、前記所定の指令が受け付けられた場合、前記入力画像信号が消画されていると判定し、
前記消画手段は、前記所定の指令が受け付けられた場合、前記入力画像信号を消画する
請求項２に記載の画像処理装置。
【請求項４】
前記判定手段は、前記入力画像信号のレベルのヒストグラム、前記入力画像信号がゼロレベルである画素の数、および前記入力画像信号の時間変化に基づいて、前記入力画像信号が消画されているかどうかを判定する
請求項１に記載の画像処理装置。
【請求項５】
他の装置から入力された、前記入力画像信号が消画されていることを表す消画信号を取得する取得手段
をさらに備え、
前記入力画像信号は、前記他の装置から入力され、
前記判定手段は、前記消画信号に応じて、前記入力画像信号が消画されていると判定する
請求項１に記載の画像処理装置。
【請求項６】
入力された時系列の各画素の画像信号である入力画像信号を補間する画像処理装置の画像処理方法において、
前記入力画像信号の動きベクトルを検出し、
前記入力画像信号が消画されているかどうかを判定し、
前記入力画像信号が消画されていないと判定された場合、前記動きベクトルに基づいて、前記入力画像信号と、その入力画像信号の１つ前の入力画像信号である前入力画像信号の間の任意の時刻における画像信号である入力画像信号間信号を補間して出力し、前記入力画像信号が消画されていると判定された場合、前記前入力画像信号を、そのまま前記入力画像信号間信号として出力する
ステップを含む画像処理方法。
【請求項７】
入力された時系列の各画素の画像信号である入力画像信号を補間する画像処理を、コンピュータに行わせるプログラムにおいて、
前記入力画像信号の動きベクトルを検出し、
前記入力画像信号が消画されているかどうかを判定し、
前記入力画像信号が消画されていないと判定された場合、前記動きベクトルに基づいて、前記入力画像信号と、その入力画像信号の１つ前の入力画像信号である前入力画像信号の間の任意の時刻における画像信号である入力画像信号間信号を補間して出力し、前記入力画像信号が消画されていると判定された場合、前記前入力画像信号を、そのまま前記入力画像信号間信号として出力する
ステップを含む画像処理をコンピュータに行わせるプログラム。
【発明の詳細な説明】
【技術分野】
【０００１】
本発明は、画像処理装置および画像処理方法、並びにプログラムに関し、特に、補間前の画像信号が消画される場合において、補間後の画像信号の画質を向上させることができるようにした画像処理装置および画像処理方法、並びにプログラムに関する。
【背景技術】
【０００２】
図１は、従来の画像処理装置１の構成の一例を示している。
【０００３】
図１の画像処理装置１は、消画部１１、OSD重畳部１２、フレームレート変換部１３、パネル駆動部１４、表示パネル１５、および制御部１６により構成され、外部から入力された、例えば、番組の時系列のフレーム単位の画像の、各画素のデジタル信号である画像信号のフレームレートを、高速にして表示を行う。
【０００４】
消画部１１は、制御部１６から供給される消画の指令を表す消画指令信号に応じて、外部から入力された番組の画像信号を消画する。具体的には、消画部１１は、全画素の画像信号のレベルを黒レベル、即ちゼロにする。消画部１１は、消画後の画像信号、または、入力された画像信号そのものを、OSD重畳部１２に供給する。
【０００５】
OSD重畳部１２は、制御部１６から供給される重畳の指令を表す重畳指令信号に応じて、消画部１１から供給される画像信号に、チャンネル番号やメニューなどのOSD（On Screen Display）画像の画像信号（以下、OSD画像信号という）を重畳する。OSD重畳部１２は、重畳後の画像信号、または、消画部１１から供給された画像信号そのものを、フレームレート変化部１３に供給する。
【０００６】
フレームレート変換部１３は、OSD重畳部１２から供給される画像信号に対して、その画像信号の周期であるフレームレートを高速にする高フレームレート処理を行う。具体的には、フレームレート変換部１３は、OSD重畳部１２から供給される画像信号に対してフレーム補間処理を行い、その結果得られる画像信号を、外部から入力される画像信号の間の時刻における画像信号としてパネル駆動部１４に出力する。これにより、パネル駆動部１４に入力される画像信号のフレームレートは、消画部１１に入力されたフレームレートに比べて高速になる。
【０００７】
パネル駆動部１４は、フレームレート変換部１３から供給される画像信号に対してD/A（Digital/Analog）変換などの処理を行う。パネル駆動部１４は、その結果得られるアナログ信号に基づいて、液晶パネルなどの表示パネル１５を駆動し、表示パネル１５にフレーム単位の画像を表示させる。
【０００８】
制御部１６は、ユーザからの、画像信号の入力源を切り換える入力切換え、画像信号に対応する番組のチャンネルを切り換えるチャンネル切換え、OSD画像の表示などの指令を受け付ける。制御部１６は、ユーザからの入力切換えやチャンネル切換えなどの指令に応じて、消画指令信号を消画部１１に供給する。これにより、入力切換えやチャンネル切換えによる画乱れのある画像の表示を防止することができる。また、制御部１６は、OSD画像の表示の指令に応じて、重畳指令信号をOSD重畳部１２に供給する。
【０００９】
図１のフレームレート変換部１３が行う高フレームレート処理や、時系列の画像信号の動きを補償する動き補償処理などに適用されるフレーム補間処理は、時系列の画像信号の高画質化に欠かせない処理である。
【００１０】
このようなフレーム補間処理としては、入力された時系列の画像信号に含まれる動きベクトルを検出し、その動きベクトルを用いて、時系列の画像信号の間の任意の時刻における画像信号を補間する処理が考案されている（例えば、特許文献１参照）。
【００１１】
この動きベクトルは、例えば、ブロックマッチング法などにしたがって、時系列の画像信号を比較することにより、検出される。この場合、フレームレート変換部１３は、消画の開始または終了時に、消画が行われた画像信号と、消画が行われていない画像信号を比較することになり、動きベクトルを誤検出してしまう。その結果、その動きベクトルに基づく補間において、誤った画像信号が生成され、補間後の画像信号の画質が劣化する。
【００１２】
即ち、例えば、消画が開始され、図２のＡに示すように、白い背景に黒いドーナツ型の円が描かれた、消画が行われていない画像２１の画像信号に続いて、消画が行われた画像２２の画像信号が、フレームレート変換部１３に供給される場合、フレームレート変換部１３により、図２のＢに示すように、画像２１と同一の画像２３の画像信号が補間され、消画が行われた画像２２が表示される直前まで、画像２１と同一の画像が表示されることが理想である。
【００１３】
しかしながら、フレームレート変換部１３は、消画が行われていない画像２１の画像信号と、消画が行われた画像２２の画像信号を比較することにより、動きベクトルを検出するので、その動きベクトルに基づく補間により、実際には、例えば、図２のＣに示すように、黒い背景に白と黒の縞模様のドーナツ型の円が描かれた、残像のような異常な画像２４の画像信号を補間してしまう。その結果、消画が行われた画像２２の直前の画像の画質が劣化する。
【００１４】
なお、図示は省略するが、消画が終了される場合においても、同様に、消画が行われた画像の画像信号と、その後の消画が行われていない画像の画像信号が比較され、その結果、消画が行われていない画像の直前の画像の画質が劣化する。
【特許文献１】特開２００１−４２８３１号公報
【発明の開示】
【発明が解決しようとする課題】
【００１５】
以上のように、フレーム補間処理の前に消画が行われる場合、消画の開始または終了時に、補間後の画像信号の画質が劣化してしまう。
【００１６】
本発明は、このような状況に鑑みてなされたものであり、補間前の画像信号が消画される場合において、補間後の画像信号の画質を向上させることができるようにするものである。
【課題を解決するための手段】
【００１７】
本発明の一側面の画像処理装置は、入力された時系列の各画素の画像信号である入力画像信号の動きベクトルを検出する検出手段と、前記入力画像信号が消画されているかどうかを判定する判定手段と、前記入力画像信号が消画されていないと判定された場合、前記動きベクトルに基づいて、前記入力画像信号と、その入力画像信号の１つ前の入力画像信号である前入力画像信号の間の任意の時刻における画像信号である入力画像信号間信号を補間して出力し、前記入力画像信号が消画されていると判定された場合、前記前入力画像信号を、そのまま前記入力画像信号間信号として出力する補間手段とを備える。
【００１８】
本発明の一側面の画像処理装置は、前記入力画像信号を消画する消画手段をさらに設けることができる。
【００１９】
本発明の一側面の画像処理装置は、所定の指令を受け付ける受付手段をさらに設け、前記判定手段は、前記所定の指令が受け付けられた場合、前記入力画像信号が消画されていると判定し、前記消画手段は、前記所定の指令が受け付けられた場合、前記入力画像信号を消画することができる。
【００２０】
本発明の一側面の画像処理装置においては、前記判定手段は、前記入力画像信号のレベルのヒストグラム、前記入力画像信号がゼロレベルである画素の数、および前記入力画像信号の時間変化に基づいて、前記入力画像信号が消画されているかどうかを判定することができる。
【００２１】
本発明の一側面の画像処理装置は、他の装置から入力された、前記入力画像信号が消画されていることを表す消画信号を取得する取得手段をさらに設け、前記入力画像信号は、前記他の装置から入力され、前記判定手段は、前記消画信号に応じて、前記入力画像信号が消画されていると判定することができる。
【００２２】
本発明の一側面の画像処理方法は、入力された時系列の各画素の画像信号である入力画像信号を補間する画像処理装置の画像処理方法において、前記入力画像信号の動きベクトルを検出し、前記入力画像信号が消画されているかどうかを判定し、前記入力画像信号が消画されていないと判定された場合、前記動きベクトルに基づいて、前記入力画像信号と、その入力画像信号の１つ前の入力画像信号である前入力画像信号の間の任意の時刻における画像信号である入力画像信号間信号を補間して出力し、前記入力画像信号が消画されていると判定された場合、前記前入力画像信号を、そのまま前記入力画像信号間信号として出力するステップを含む。
【００２３】
本発明の一側面のプログラムは、入力された時系列の各画素の画像信号である入力画像信号を補間する画像処理を、コンピュータに行わせるプログラムにおいて、前記入力画像信号の動きベクトルを検出し、前記入力画像信号が消画されているかどうかを判定し、前記入力画像信号が消画されていないと判定された場合、前記動きベクトルに基づいて、前記入力画像信号と、その入力画像信号の１つ前の入力画像信号である前入力画像信号の間の任意の時刻における画像信号である入力画像信号間信号を補間して出力し、前記入力画像信号が消画されていると判定された場合、前記前入力画像信号を、そのまま前記入力画像信号間信号として出力するステップを含む画像処理をコンピュータに行わせる。
【００２４】
本発明の一側面においては、入力された時系列の各画素の画像信号である入力画像信号の動きベクトルが検出され、前記入力画像信号が消画されているかどうかが判定され、前記入力画像信号が消画されていないと判定された場合、前記動きベクトルに基づいて、前記入力画像信号と、その入力画像信号の１つ前の入力画像信号である前入力画像信号の間の任意の時刻における画像信号である入力画像信号間信号が補間されて出力され、前記入力画像信号が消画されていると判定された場合、前記前入力画像信号が、そのまま前記入力画像信号間信号として出力される。
【発明の効果】
【００２５】
以上のように、本発明の一側面によれば、補間前の画像信号が消画される場合において、補間後の画像信号の画質を向上させることができる。
【発明を実施するための最良の形態】
【００２６】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２７】
本発明の一側面の画像処理装置（例えば、図３の受信装置３０）は、
入力された時系列の各画素の画像信号である入力画像信号の動きベクトルを検出する検出手段（例えば、図５の検出部９２）と、
前記入力画像信号が消画されているかどうかを判定する判定手段（例えば、図４のMPU３１）と、
前記入力画像信号が消画されていないと判定された場合、前記動きベクトルに基づいて、前記入力画像信号と、その入力画像信号の１つ前の入力画像信号である前入力画像信号の間の任意の時刻における画像信号である入力画像信号間信号を補間して出力し、前記入力画像信号が消画されていると判定された場合、前記前入力画像信号を、そのまま前記入力画像信号間信号として出力する補間手段（例えば、図５の混合部９５）と
を備える。
【００２８】
本発明の一側面の画像処理装置は、
前記入力画像信号を消画する消画手段（例えば、図４の消画部１１）
をさらに備える。
【００２９】
本発明の一側面の画像処理装置は、
所定の指令（例えば、チャンネル切換えまたは入力切換えの指令）を受け付ける受付手段(例えば、図３の入力部３８)
をさらに備え、
前記判定手段は、前記所定の指令が受け付けられた場合、前記入力画像信号が消画されていると判定し、
前記消画手段は、前記所定の指令が受け付けられた場合、前記入力画像信号を消画する。
【００３０】
本発明の一側面の画像処理装置は、
他の装置（例えば、図１５の記録再生装置２０２）から入力された、前記入力画像信号が消画されていることを表す消画信号を取得する取得手段（例えば、図１６の通信部２１３）
をさらに備え、
前記入力画像信号は、前記他の装置から入力され、
前記判定手段は、前記消画信号に応じて、前記入力画像信号が消画されていると判定する。
【００３１】
本発明の一側面の画像処理方法は、
入力された時系列の各画素の画像信号である入力画像信号を補間する画像処理装置（例えば、図３の受信装置３０）の画像処理方法において、
前記入力画像信号の動きベクトルを検出し(例えば、図１０のステップＳ５３)、
前記入力画像信号が消画されているかどうかを判定し（例えば、図１０のステップＳ５５）、
前記入力画像信号が消画されていないと判定された場合、前記動きベクトルに基づいて、前記入力画像信号と、その入力画像信号の１つ前の入力画像信号である前入力画像信号の間の任意の時刻における画像信号である入力画像信号間信号を補間して出力し（例えば、図１０のステップＳ５８）、前記入力画像信号が消画されていると判定された場合、前記前入力画像信号を、そのまま前記入力画像信号間信号として出力する（例えば、図１０のステップＳ６０）
ステップを含む。
【００３２】
以下、本発明を適用した具体的な実施の形態について、図面を参照しながら詳細に説明する。
【００３３】
図３は、本発明を適用した受信装置の第１の実施の形態の構成例を示している。
【００３４】
図３の受信装置３０では、MPU（Micro Processing Unit）３１、チューナ３２、デコード処理部３３、表示部３５とスピーカ３６が接続された信号処理部３４、入力部３８、通信部３９、記録部４０、およびドライブ４１が、バス３７を介して互いに接続されており、受信装置３０は、番組の時系列のフレーム単位の画像の各画素や音声のデジタル信号（以下、番組信号という）の電波を受信し、その番組の画像や音声を出力する。
【００３５】
MPU３１は、例えば、記録部４０にインストールされたプログラムを実行することにより、入力部３８から入力される指令などに対応して、各種の処理を実行する。例えば、MPU３１は、チャンネル切換えの指令に対応して、チューナ３２を制御し、チューナ３２で受信する番組信号に対応するチャンネルを変更する。また、MPU３１は、入力切換えの指令に対応して、デコード処理部３３に入力する番組信号の入力源を、チューナ３２と、通信部３９に接続される外部の装置(図示せず)のいずれか一方から他方に変更する。
【００３６】
さらに、MPU３１は、入力切換えまたはチャンネル切換えの指令に対応して、消画指令信号と、画像信号が消画されていることを表す消画信号とを信号処理部３４に供給したり、OSD画像の表示の開始の指令に対応して、重畳指令信号を信号処理部３４に供給する。
【００３７】
また、MPU３１は、通信部３９によりダウンロードされたプログラムや、ドライブ４１に装着された磁気ディスク、光ディスク、光磁気ディスク、あるいは半導体メモリなどのリムーバブルメディア４２に記録されたプログラムを必要に応じて、記録部４０にインストールする。
【００３８】
チューナ３２は、MPU３１の制御により、図示せぬ放送局から放射される、ユーザの所望のチャンネルの番組信号の電波を受信して復調する。チューナ３２は、復調の結果得られる番組信号をデコード処理部３３に供給する。
【００３９】
デコード処理部３３は、MPU３１の制御により、チューナ３２から供給される、符号化されている番組信号を、MPEG2(Moving Picture Experts Group phase 2)などの所定の方式でデコードし、その結果得られる番組信号を信号処理部３４に供給する。
【００４０】
信号処理部３４は、画像処理部５１と音声処理部５２により構成される。画像処理部５１は、MPU３１から供給される消画指令信号に応じて、デコード処理部３３から供給される番組信号のうちの画像信号に対して消画を行ったり、重畳指令信号に応じてOSD画像信号の重畳を行う。また、画像処理部５１は、その結果得られる画像信号に対して、連続する画像信号の中間の時刻における画像信号の補間、D/A変換などの処理を施す。画像処理部５１は、その結果得られるアナログ信号である画像信号を、表示部３５に供給して、表示部３５に画像を表示させる。
【００４１】
音声処理部５２は、デコード処理部３３から供給される番組信号のうちの音声信号に対して、D/A変換などを行い、その結果得られるアナログ信号である音声信号を、スピーカ３６に供給して、外部に音声を出力させる。
【００４２】
入力部３８は、例えば、図示せぬリモートコントローラから送信されてくる指令を受信する受信部、ボタン、キーボード、マウス、スイッチなどから構成され、ユーザからの指令を受け付ける。入力部３８は、ユーザからの指令に応じて、各種の指令を、バス３７を介してMPU３１に供給する。
【００４３】
例えば、入力部３８は、ユーザからのチャンネル切換えの指令に応じて、チャンネル切換えの指令をMPU３１に供給し、ユーザからの入力切換えの指令に応じて、入力切換えの指令をMPU３１に供給する。また、入力部３８は、ユーザからのOSD画像の表示の開始または終了の指令に応じて、OSD画像の表示の開始または終了の指令をMPU３１に供給する。
【００４４】
通信部３９は、図示せぬインターネットなどのネットワークを介して、各種のデータの送受信を行う。また、通信部３９は、例えば、図示せぬサーバからネットワークを介して所定のプログラムをダウンロードし、MPU３１に供給する。記録部４０は、必要に応じて、MPU３１が実行するプログラムおよび各種のデータを記録する。
【００４５】
ドライブ４１には、必要に応じて、リムーバブルメディア４２が装着される。ドライブ４１は、リムーバブルメディア４２を駆動して、そこに記録されているプログラムやデータなどを読み出し、バス３７を介してMPU３１に供給する。
【００４６】
次に、図４を参照して、図３の受信装置３０における補間について説明する。
【００４７】
なお、図４において、図１と同一のものには同一の符号を付してあり、繰り返しになるので、説明は適宜省略する。
【００４８】
図４に示すように、MPU３１は、入力部３８から入力される入力切換えやチャンネル切換えの指令に対応して、消画指令信号を画像処理部５１の消画部１１に供給し、消画信号をフレームレート変換部６１に供給する。また、MPU３１は、入力部３８から入力されるOSD画像の表示の開始の指令に対応して、重畳指令信号を画像処理部５１のOSD重畳部１２に供給する。
【００４９】
画像処理部５１は、消画部１１、OSD重畳部１２、およびフレームレート変換部６１により構成され、表示部３５は、パネル駆動部１４と表示パネル１５により構成される。
【００５０】
画像処理部５１の消画部１１には、デコード処理部３３から供給される番組信号のうちの画像信号が、入力画像信号として入力される。
【００５１】
フレームレート変換部６１は、MPU３１から供給される消画信号に応じて、OSD重畳部１２から供給される入力画像信号を補間することにより、入力画像信号のフレームレートを変換する。フレームレート変換部６１は、補間後の入力画像信号を、表示部３５のパネル駆動部１４に供給し、表示パネル１５にフレーム単位の画像を表示させる。なお、フレームレート変換部６１の詳細は、後述する図５を参照して説明する。
【００５２】
図５は、図４のフレームレート変換部６１の詳細構成例を示している。
【００５３】
図５のフレームレート変換部６１は、フレームメモリ９１、検出部９２、移動部９３、判定部９４、混合部９５、および選択部９６により構成される。
【００５４】
図４のOSD重畳部１２から供給される入力画像信号は、フレームメモリ９１、検出部９２、混合部９５、および選択部９６に供給される。また、MPU３１から供給される消画信号は、判定部９４に供給される。
【００５５】
フレームメモリ９１は、OSD重畳部１２から入力された入力画像信号をフレーム単位で記憶する。フレームメモリ９１は、前回記憶した入力画像信号、即ち、OSD重畳部１２から入力された入力画像信号の１フレーム前の入力画像信号を読み出し、検出部９２、移動部９３、および混合部９５に供給する。
【００５６】
検出部９２は、OSD重畳部１２から入力された入力画像信号を、検出対象の入力画像信号(以下、対象入力画像信号という)として、対象入力画像信号と、フレームメモリ９１から供給される対象入力画像信号より１フレーム前の入力画像信号（以下、前入力画像信号という）とに基づいて、対象入力画像信号の動きベクトルを検出する。
【００５７】
例えば、検出部９２は、ブロックマッチング法にしたがって、対象入力画像信号に設定した基準ブロックと、前入力画像信号に設定した、基準ブロックと同一のサイズの参照ブロックとのマッチングを行うことにより、ブロック単位の動きベクトルを検出する。検出部９２は、検出したブロック単位の動きベクトルを、移動部９３と判定部９４に供給する。
【００５８】
移動部９３は、検出部９２から供給されるブロック単位の動きベクトルを用いて、フレームメモリ９１から供給される前入力画像信号をブロック単位で移動し、移動後の前入力画像信号を混合部９５に供給する。
【００５９】
判定部９４は、検出部９２から供給されるブロック単位の動きベクトルの値に基づいて、ブロック単位の動きベクトルの信頼度を決定する。なお、ブロック単位の動きベクトルの信頼度は、動きベクトルの値に基づいて決定されるのではなく、動きベクトルの算出に用いられた基準ブロックと参照ブロックの、対応する画素どうしの差分のブロック単位の積算値に基づいて、決定されるようにしてもよい。
【００６０】
図４のMPU３１から、消画信号が入力される場合、判定部９４は、混合しない旨を表す混合なし情報を混合部９５に供給する。一方、消画信号が入力されない場合、判定部９４は、ブロック単位の信頼度に基づいて、ブロック単位で対象入力画像信号と移動後の前入力画像信号を混合する比率（以下、混合比という）を決定する。そして、判定部９４、そのブロック単位の混合比を混合部９５に供給する。
【００６１】
混合部９５は、判定部９４から供給される混合比に基づいて、OSD重畳部１２から供給される対象入力画像信号と、移動部９３から供給される移動後の前入力画像信号を混合する。混合部９５は、混合後の画像信号を、対象入力画像信号と前入力画像信号の間の中間の時刻における画像信号を補間する補間信号として、選択部９６に供給する。
【００６２】
以上のように、判定部９４により混合比が決定される場合、混合部９５は、その混合比に基づいて、対象入力画像信号と、移動部９３により動きベクトルを用いて移動された前入力画像信号の混合による補間を行う。即ち、消画信号が入力されない場合、フレームレート変換部６１は、動きベクトルを用いて画像信号を補間する通常補間処理を行う。
【００６３】
また、混合部９５は、判定部９４から供給される混合なし情報に応じて、フレームメモリ９１から供給される前入力画像信号を、そのまま補間信号として選択部９６に供給する。即ち、消画信号が入力される場合、フレームレート変換部６１は、前入力画像信号をそのまま補間信号とする前置補間処理を行う。
【００６４】
このように、対象入力画像信号が消画されていることにより、動きベクトルが誤検出される場合、フレームレート変換部６１では、動きベクトルを用いた補間が行われず、前入力画像信号そのものが補間信号とされる。従って、誤った補間信号の生成を抑制し、安定した補間後の画像信号を出力することができる。
【００６５】
選択部９６は、OSD重畳部１２から供給される対象入力画像信号と、混合部９５から供給される補間信号のいずれか一方を選択し、所定のタイミングで、補間後の画像信号として出力する。具体的には、選択部９６は、対象入力画像信号と、その次の対象入力画像信号の間に、それらを用いて生成された補間信号を、補間後の画像信号として出力する。その結果、選択部９６から出力される補間後の画像信号のフレームレートは、入力画像信号のフレームレートの２倍となる。
【００６６】
次に、図６を参照して、フレームレート変換部６１による前置補間処理と通常補間処理について説明する。
【００６７】
ここでは、図６のＡに示すように、連続する３フレームの入力画像信号ａ乃至ｃが、フレームレート変換部６１に順に入力される場合について説明する。
【００６８】
通常補間処理では、入力画像信号ｂが対象入力画像信号とされると、入力画像信号ｂの動きベクトルに対応する混合比を用いて、対象入力画像信号である入力画像信号ｂと、動きベクトルを用いて移動された前入力画像信号である入力画像信号ａが混合され、これにより、図６のＢに示すように、入力画像信号ａと入力画像信号ｂの間の中間の時刻における補間信号abが生成される。また同様に、入力画像信号ｃが対象入力画像信号とされると、入力画像信号ｃの動きベクトルに対応する混合比を用いて、図６のＢに示すように、入力画像信号ｂと入力画像信号ｃの間の中間の時刻における補間信号bcを生成する。
【００６９】
一方、前置補間処理では、入力画像信号ｂが対象入力画像信号とされると、図６のＣに示すように、前入力画像信号である入力画像信号ａが、そのまま補間信号として生成される。また同様に、入力画像信号ｃが対象入力画像信号とされると、図６のＣに示すように、前入力画像信号である入力画像信号ｂが、そのまま補間信号として生成される。
【００７０】
次に、図７を参照して、図５の選択部９６から出力される補間後の画像信号について説明する。なお、図２と同一のものには同一の符号を付してあり、説明は適宜省略する。
【００７１】
図７のＡに示すように、フレームレート変換部６１に、白い背景に黒いドーナツ型の円が描かれた、消画が行われていない画像２１の画像信号が入力された後、消画信号が入力され、画像２２の画像信号が入力されると、フレームレート変換部６１は、消画信号に応じて、画像２２の画像信号を対象入力画像信号とした前置補間処理を行う。そして、フレームレート変換部６１は、補間後の画像信号として、画像２１の画像信号と画像２２の画像信号の間に、前入力画像信号である画像２１の画像信号と同一の、図７のＢに示す画像１００の画像信号を出力する。
【００７２】
その結果、図７のＢに示すように、補間後の画像として、消画が行われた画像２２が表示される直前まで、画像２１と同一の画像が表示され、画像２２の直前の画像の画質の劣化が抑制される。
【００７３】
また、例えば、フレームレート変換部６１に、画像２１の画像信号にメニュー（MENU）のOSD画像１０１Ａの画像信号が重畳された、図７のＣに示す画像１０１の画像信号が入力された後、消画信号が入力され、消画が行われた画像２２の画像信号にOSD画像１０１Ａの画像信号が重畳された、図７のＣに示す画像１０２の画像信号が入力される場合、フレームレート変換部６１は、消画信号に応じて、画像１０２の画像信号を対象入力画像信号として前置補間処理を行う。
【００７４】
その結果、図７のＣに示すように、補間後の画像として、画像１０１と画像１０２の間に、画像１０１と同一の画像１０３が表示され、画像１０２の直前の画像の画質の劣化が抑制される。
【００７５】
次に、図８を参照して、図３のMPU３１における制御処理について説明する。この制御処理は、例えば、受信装置３０の電源がオンにされたとき、開始される。
【００７６】
ステップＳ１１において、MPU３１は、入力部３８から入力切換えまたはチャンネル切換えの指令が入力されたかどうかを判定する。ステップＳ１１で、入力部３８から入力切換えまたはチャンネル切換えの指令が入力されたと判定された場合、ステップＳ１２において、MPU３１は、入力画像信号が消画されていると判定し、消画信号のフレームレート変換部６１への出力を開始する。ステップＳ１３において、MPU３１は、消画指令信号の消画部１１への出力を開始する。
【００７７】
このように、MPU３１が、消画信号を消画指令信号より前に出力することにより、消画部１１において消画指令信号に対応した消画が行われる前に、フレームレート変換部６１は、自分自身が行うフレーム補間処理を、通常補間処理から前置補間処理に変更することができる。その結果、フレームレート変換部６１は、消画が行われている対象入力画像信号に対して行うフレーム補間処理を、確実に前置補間処理にすることができる。
【００７８】
ステップＳ１４において、MPU３１は、ステップＳ１３で消画指令信号の出力を開始してから、所定の時間が経過したかどうかを判定する。この時間は、例えば、入力切換えまたはチャンネルの切換えにより画乱れが生じる可能性のある最大の時間である。
【００７９】
ステップＳ１４において、所定の時間が経過していないと判定された場合、所定の時間が経過したと判定されるまで待機する。そして、ステップＳ１４において、所定の時間が経過したと判定された場合、ステップＳ１５において、MPU３１は、消画指令信号の消画部１１への出力を停止する。以上のように、MPU３１は、画乱れが生じる可能性のある最大の時間、消画指令信号を消画部１１に出力して、入力画像信号を消画させるので、表示パネル１５に画乱れのある画像が表示されることを防止することができる。
【００８０】
ステップＳ１６において、MPU３１は、消画信号のフレームレート変換部６１への出力を停止し、処理はステップＳ２１に進む。
【００８１】
一方、ステップＳ１１において、入力部３８から入力切換えまたはチャンネル切換えの指令が入力されていないと判定された場合、ステップＳ１７において、MPU３１は、入力部３８からOSD画像の表示の開始の指令が入力されたかどうかを判定する。ステップＳ１７において、OSD画像の表示の開始の指令が入力されたと判定された場合、ステップＳ１８において、MPU３１は、重畳指令信号のOSD重畳部１２への出力を開始し、処理はステップＳ２１に進む。
【００８２】
また、ステップＳ１７において、入力部３８からOSD画像の表示の開始の指令が入力されていないと判定された場合、ステップＳ１９において、MPU３１は、OSD画像の表示の停止の指令が入力されたかどうかを判定する。ステップＳ１９において、OSD画像の表示の停止の指令が入力されたと判定された場合、ステップＳ２０において、MPU３１は、重畳指令信号のOSD重畳部１２への出力を停止し、処理はステップＳ２１に進む。
【００８３】
一方、ステップＳ１９において、OSD画像の表示の停止の指令が入力されていないと判定された場合、処理はステップＳ２１に進む。
【００８４】
ステップＳ２１において、MPU３１は、処理を終了するかどうか、例えば、入力部３８から電源のオフの指令が入力されたかどうかを判定する。ステップＳ２１で処理を終了しないと判定された場合、処理はステップＳ１１に戻り、上述した処理が繰り返される。一方、ステップＳ２１で処理を終了すると判定された場合、処理は終了する。
【００８５】
なお、上述した説明では、MPU３１が、消画信号の出力後に、消画指令信号を出力したが、消画信号に応じてフレームレート変換部６１がフレーム補間処理を前置補間処理に変更にした後に、消画指令信号に応じてOSD重畳部１２がOSD画像信号の重畳を開始することができれば、消画信号の出力前に、消画指令信号を送信してもよい。
【００８６】
なお、上述した説明では、入力部３８から入力切換えまたはチャンネル切換えが指令された場合、MPU３１は、消画指令信号の消画部１１への出力を開始したが、重畳指令信号の出力が開始されている場合、消画指令信号の出力の開始とともに、重畳指令信号の出力を停止してもよい。この場合、OSD画像の表示中に、入力切換えまたはチャンネル切換えが行われると、所定の時間、OSD画像のない黒い画像が表示される。
【００８７】
次に、図９を参照して、図３の受信装置３０における画像処理について説明する。この画像処理は、例えば、デコード処理部３３から入力画像信号が画像処理部５１に入力されたとき、開始される。
【００８８】
ステップＳ４１において、画像処理部５１の消画部１１は、MPU３１から消画指令信号が入力されているかどうかを判定し、消画指令信号が入力されていると判定した場合、ステップＳ４２において、デコード処理部３３から入力される入力画像信号を消画する。そして、消画部１１は、消画後の入力画像信号をOSD重畳部１２に供給し、処理はステップＳ４４に進む。
【００８９】
一方、ステップＳ４１において、消画指令信号が入力されていないと判定された場合、ステップＳ４３において、消画部１１は、デコード処理部３３から入力される入力画像信号をそのままOSD重畳部１２に出力し、処理はステップＳ４４に進む。
【００９０】
ステップＳ４４において、OSD重畳部１２は、MPU３１から重畳指令信号が入力されているかどうかを判定し、重畳指令信号が入力されていると判定した場合、ステップＳ４５において、消画部１１から供給される入力画像信号にOSD画像信号を重畳する。そして、OSD重畳部１２は、重畳後の入力画像信号をフレームレート変換部６１に供給し、処理はステップＳ４７に進む。
【００９１】
また、ステップＳ４４において、重畳指令信号が入力されていないと判定された場合、ステップＳ４６において、OSD重畳部１２は、消画部１１から供給される入力画像信号をそのままフレームレート変換部６１に出力し、処理はステップＳ４７に進む。
【００９２】
ステップＳ４７において、フレームレート変換部６１は、OSD重畳部１２から供給される入力画像信号のフレームレートを変換するフレームレート変換処理を行う。このフレームレート変換処理の詳細は、後述する図１０を参照して説明する。
【００９３】
ステップＳ４８において、パネル駆動部１４は、フレームレート変換部６１から供給される補間後の画像信号に対してD/A変換を行い、その結果得られるアナログ信号に基づいて表示パネル１５を駆動し、表示パネル１５にフレーム単位の画像を表示させる。そして、処理は終了する。
【００９４】
次に、図１０を参照して、図９のステップＳ４７のフレームレート変換処理の詳細について説明する。
【００９５】
ステップＳ５０において、フレームレート変換部６１の選択部９６は、OSD重畳部１２から供給される入力画像信号を、補間後の画像信号として出力する。ステップＳ５１において、フレームメモリ９１は、OSD重畳部１２から供給される入力画像信号を記憶する。ステップＳ５２において、フレームメモリ９１は、既に記憶されている、ステップＳ５１で記憶された入力画像信号の１つ前の入力画像信号を、前入力画像信号として読み出し、検出部９２、移動部９３、および混合部９５に供給する。
【００９６】
ステップＳ５３において、検出部９２は、OSD重畳部１２から供給される入力画像信号を対象入力画像信号として、対象入力画像信号と、フレームメモリ９１から供給される前入力画像信号に基づいて、対象入力画像信号のブロック単位の動きベクトルを検出する。そして、検出部９２は、検出したブロック単位の動きベクトルを、移動部９３と判定部９４に供給する。
【００９７】
ステップＳ５４において、移動部９３は、検出部９２から供給されるブロック単位の動きベクトルに基づいて、フレームメモリ９１から供給される前入力画像信号をブロック単位で移動し、移動後の前入力画像信号を混合部９５に供給する。
【００９８】
ステップＳ５５において、判定部９４は、MPU３１から消画信号が入力されているかどうかを判定し、消画信号が入力されていいないと判定された場合、ステップＳ５６において、判定部９４は、検出部９２から供給されるブロック単位の動きベクトルに基づいて、ブロック単位の信頼度を決定する。
【００９９】
ステップＳ５７において、判定部９４は、ステップＳ５６で決定されたブロック単位の信頼度に基づいて、混合比を決定する。具体的には、例えば、ブロック単位の信頼度が高い場合、判定部９４は、移動後の前入力画像信号の画素を混合する比率が高くなるようにブロック単位の混合比を決定し、ブロック単位の信頼度が低い場合、移動後の前入力画像信号の画素を混合する比率が低くなるようにブロック単位の混合比を決定する。判定部９４は、決定したブロック単位の混合比を混合部９５に供給する。
【０１００】
ステップＳ５８において、混合部９５は、判定部９４から供給される混合比に基づいて、OSD重畳部１２から供給される対象入力画像信号と、移動部９３から供給される移動後の前入力画像信号を混合する。混合部９５は、混合後の画像信号を補間信号として、選択部９６に供給する。以上のようにして、MPU３１から消画信号が入力されていない場合、フレームレート変換部６１は、通常補間処理を行う。
【０１０１】
一方、ステップＳ５５で消画信号が入力さていると判定された場合、ステップＳ５９において、判定部９４は、混合なし情報を混合部９５に供給する。ステップＳ６０において、混合部９５は、判定部９４から供給される混合なし情報に応じて、フレームメモリ９１から供給される前入力画像信号を、そのまま補間信号として選択部９６に供給する。
【０１０２】
以上のようにして、MPU３１から消画信号が入力されている場合、フレームレート変換部６１は、前置補間処理を行う。従って、対象入力画像信号が消画されていることにより、動きベクトルが誤検出される場合において、誤った動きベクトルを用いた補間信号の生成を抑制し、補間後の画像信号の画質を向上させることができる。
【０１０３】
ステップＳ６１において、選択部９６は、混合部９５から供給される補間信号を、補間後の画像信号として出力し、処理は図９のステップＳ４７に戻る。
【０１０４】
図１１は、本発明を適用した受信装置の第２の実施の形態の構成例を示している。
【０１０５】
図１１の受信装置１５０では、チューナ３２、デコード処理部３３、入力部３８、通信部３９、記録部４０、ドライブ４１、MPU１５１、表示部３５とスピーカ３６が接続された信号処理部１５２が、バス３７を介して互いに接続されており、信号処理部１５２が、デコード処理部３３から入力される入力画像信号が消画されているかどうかを検出する。なお、図３と同一のものには同一の符号を付してあり、説明は繰り返しになるので省略する。
【０１０６】
MPU１５１は、例えば、記録部４０にインストールされたプログラムを実行することにより、入力部３８から入力される指令などに対応して、各種の処理を実行する。例えば、MPU１５１は、図３のMPU３１と同様に、チャンネル切換えの指令に対応して、チューナ３２を制御し、チューナ３２で受信する番組信号に対応するチャンネルを変更する。また、MPU１５１は、図３のMPU３１と同様に、入力切換えの指令に対応して、デコード処理部３３に入力する番組信号の入力源を、チューナ３２と、通信部３９に接続される外部の装置(図示せず)のいずれか一方から他方に変更する。
【０１０７】
さらに、MPU１５１は、入力切換えまたはチャンネル切換えの指令に対応して、消画指令信号を信号処理部１５２に供給したり、OSD画像の表示の開始の指令に対応して、重畳指令信号を信号処理部１５２に供給する。
【０１０８】
また、MPU１５１は、図３のMPU３１と同様に、通信部３９によりダウンロードされたプログラムや、ドライブ４１に装着されたリムーバブルメディア４２に記録されたプログラムを必要に応じて、記録部４０にインストールする。
【０１０９】
信号処理部１５２は、音声処理部５２と画像処理部１６１により構成される。画像処理部１６１は、図３の画像処理部５１と同様に、MPU３１から供給される消画指令信号に応じて、デコード処理部３３から供給される番組信号のうちの画像信号に対して消画を行ったり、重畳指令信号に応じてOSD画像信号の重畳を行う。また、画像処理部１６１は、その結果得られる画像信号に対して、その画像信号が消画されているかどうかの検出、連続する画像信号の中間の時刻における画像信号の補間、D/A変換などの処理を施す。画像処理部１６１は、その結果得られるアナログ信号である画像信号を、表示部３５に供給して、表示部３５に画像を表示させる。
【０１１０】
次に、図１２を参照して、図１１の受信装置１５０における補間について説明する。
【０１１１】
なお、図１２において、図１や図４と同一のものには同一の符号を付してあり、説明は繰り返しになるので、説明は適宜省略する。
【０１１２】
図１２に示すように、MPU１５１は、入力部３８から入力される入力切換えやチャンネル切換えの指令に対応して、消画指令信号を画像処理部５１の消画部１１に供給する。また、MPU１５１は、MPU３１と同様に、入力部３８から入力されるOSD画像の表示の開始の指令に対応して、重畳指令信号を画像処理部５１のOSD重畳部１２に供給する。
【０１１３】
画像処理部１６１は、消画部１１、OSD重畳部１２、フレームレート変換部６１、および消画検出部１７１により構成され、表示部３５は、パネル駆動部１４と表示パネル１５により構成される。
【０１１４】
図１２の画像処理部１６１において、消画部１１から出力される入力画像信号は、OSD重畳部１２だけでなく、消画検出部１７１にも入力される。消画検出部１７１は、消画部１１から入力される入力画像信号に基づいて、その入力画像信号が消画されているかどうかを検出する。そして、消画検出部１７１は、入力画像信号が消画されていることを検出した場合、その入力画像信号の消画信号をフレームレート変換部６１の判定部９４（図５）に供給する。
【０１１５】
次に、図１３を参照して、図１１のMPU１５１における制御処理について説明する。この制御処理は、例えば、受信装置１５０の電源がオンにされたとき、開始される。
【０１１６】
図１３のステップＳ１１１乃至Ｓ１１９の処理は、図８の制御処理においてステップＳ１２とＳ１６の処理を除いたものである。即ち、図１３の制御処理では、MPU１５１は、消画信号の出力を行わない。
【０１１７】
次に、図１４を参照して、図１２の消画検出部１７１における検出処理について説明する。この検出処理は、例えば、消画部１１から消画検出部１７１に入力画像信号が入力されたとき、開始される。
【０１１８】
ステップＳ１３１において、消画検出部１７１は、入力画像信号が消画されているかどうかを判定する。具体的には、消画検出部１７１は、入力画像信号のレベルのヒストグラム（度数分布）、入力画像信号が黒レベルである画素の数、および、入力画像信号のレベルの時間変化としての、連続する２つの入力画像信号のレベルの一致度合に基づいて、入力画像信号が消画されているかどうかを判定する。
【０１１９】
ステップＳ１３１において、入力画像信号が消画されていると判定された場合、ステップＳ１３２において、消画検出部１７１は、その入力画像信号の消画信号を出力し、処理を終了する。一方、ステップＳ１３１において、入力画像信号が消画されていないと判定された場合、処理はステップＳ１３２をスキップして終了する。
【０１２０】
なお、図１１の受信装置１５０における画像処理は、図９に示した画像処理と同様であるので、説明は省略するが、受信装置１５０における画像処理では、ステップＳ４７のフレームレート変換処理における図１０のステップＳ５５において、消画検出部１７１から対象入力画像信号の消画信号が入力されているかどうかが判定される。
【０１２１】
具体的には、例えば、図１４のステップＳ１３２で出力される、入力画像信号の消画信号には、その入力画像信号を特定するための情報（例えば、フレーム番号）が付加されており、判定部９４により、対象入力画像信号を特定するための情報が付加された消画信号が入力されているかどうかが判定される。
【０１２２】
図１５は、本発明を適用した受信装置の第３の実施の形態の構成例を示している。
【０１２３】
図１５の受信装置２０１では、チューナ３２、デコード処理部３３、入力部３８、記録部４０、ドライブ４１、MPU２１１、表示部３５とスピーカ３６が接続された信号処理部２１２、および通信部２１３が、バス３７を介して互いに接続されており、通信部２１３に接続された外部の記録再生装置２０２から、必要に応じて消画が行われた画像信号が入力される。なお、図３や図１１と同一のものには同一の符号を付してあり、説明は繰り返しになるので省略する。
【０１２４】
MPU２１１は、例えば、記録部４０にインストールされたプログラムを実行することにより、入力部３８から入力される指令などに対応して、各種の処理を実行する。例えば、MPU２１１は、図３のMPU３１や図１１のMPU１５１と同様に、チャンネル切換えの指令に対応して、チューナ３２を制御し、チューナ３２で受信する番組信号に対応するチャンネルを変更する。また、MPU２１１は、入力切換えの指令に対応して、デコード処理部３３に入力する画像信号の入力源を、チューナ３２と、通信部２１３に接続される記録再生装置２０２のいずれか一方から他方に変更する。
【０１２５】
さらに、MPU２１１は、図３のMPU３１と同様に、入力切換えまたはチャンネル切換えの指令に対応して、消画指令信号と消画信号を信号処理部２１２に供給したり、OSD画像の表示の開始の指令に対応して、重畳指令信号を信号処理部２１２に供給する。また、MPU２１１は、通信部２１３から供給される消画信号を、信号処理部２１２に供給する。
【０１２６】
MPU２１１は、図３のMPU３１や図１１のMPU１５１と同様に、通信部２１３によりダウンロードされたプログラムや、ドライブ４１に装着されたリムーバブルメディア４２に記録されたプログラムを必要に応じて、記録部４０にインストールする。
【０１２７】
信号処理部２１２は、画像処理部２２１と音声処理部２２２により構成される。画像処理部２２１は、MPU３１から供給される消画指令信号に応じて、デコード処理部３３または通信部２１３から供給される番組信号のうちの画像信号に対して消画を行ったり、重畳指令信号に応じてOSD画像信号の重畳を行う。また、画像処理部２２１は、図３の画像処理部５１と同様に、その結果得られる画像信号に対して、連続する画像信号の中間の時刻における画像信号の補間、D/A変換などの処理を施す。画像処理部２２１は、図３の画像処理部５１や図１１の画像処理部１６１と同様に、その結果得られるアナログ信号である画像信号を、表示部３５に供給して、表示部３５に画像を表示させる。
【０１２８】
音声処理部２２２は、デコード処理部３３または通信部２１３から供給される番組信号のうちの音声信号に対して、D/A変換などを行い、その結果得られるアナログ信号である音声信号を、スピーカ３６に供給して、外部に音声を出力させる。
【０１２９】
通信部２１３は、外部の記録再生装置２０２と接続され、記録再生装置２０２と通信を行う。例えば、通信部２１３は、記録再生装置２０２から消画信号を取得し、その消画信号を、バス３７を介してMPU２１１に供給する。また、通信部２１３は、記録再生装置２０２から番組信号を受信し、バス３７を介して信号処理部２１２に供給する。さらに、通信部２１３は、図３や図１１の通信部３９と同様に、図示せぬインターネットなどのネットワークを介して、各種のデータの送受信を行う。また、通信部２１３は、図示せぬサーバからネットワークを介して所定のプログラムをダウンロードし、MPU２１１に供給する。
【０１３０】
記録再生装置２０２は、例えば、DVD(Digital Versatile Disc)レコーダやハードディスクレコーダなどにより構成される。記録再生装置２０２は、ユーザの所望のチャンネルの番組信号の電波を受信し、その番組信号をDVDやハードディスクなどの記録媒体に記録する。記録再生装置２０２は、ユーザの再生の指令に応じて、記録している番組信号を再生し、通信部２１３に送信する。
【０１３１】
また、記録再生装置２０２は、ユーザからの再生対象の切換えなどの指令に応じて、消画信号を通信部２１３に送信する。記録再生装置２０２は、消画信号の送信後、再生した番組信号のうちの画像信号を消画し、その結果得られる番組信号を、通信部２１３に送信する。
【０１３２】
次に、図１６を参照して、図１５の受信装置２０１における補間について説明する。
【０１３３】
なお、図１６において、図４や図１２と同一のものには同一の符号を付してあり、繰り返しになるので、説明は適宜省略する。
【０１３４】
図１６の記録再生装置２０２は、チューナ２３１、記録再生部２３２、デコード部２３３、消画部２３４、OSD重畳部２３５、入力部２３６、および制御部２３７により構成される。
【０１３５】
チューナ２３１は、制御部２３７の制御により、図示せぬ放送局から放射される、ユーザの所望のチャンネルの番組信号の電波を受信して復調する。チューナ２３１は、復調の結果得られる番組信号を記録再生部２３２に供給して、記録させる。
【０１３６】
記録再生部２３２は、そこに装着されるDVDなどのリムーバブルメディアや、内蔵するハードディスクなどの記録媒体（図示せず）に、チューナ２３１から供給される番組信号を記録する。記録再生部２３２は、制御部２３７の制御により、記録している番組信号を再生し、デコード部２３３に供給する。
【０１３７】
デコード部２３３は、制御部２３７の制御により、記録再生部２３２から供給される番組信号を所定の方式でデコードし、その結果得られる番組信号を消画部２３４に供給する。
【０１３８】
消画部２３４は、制御部２３７から供給される消画指令信号に応じて、デコード部２３３から供給される番組信号のうちの画像信号を消画する。消画部２３４は、消画後の画像信号、または、デコード部２３３から供給された画像信号そのものを含む番組信号を、OSD重畳部２３５に供給する。
【０１３９】
OSD重畳部２３５は、制御部２３７から供給される重畳の指令を表す重畳指令信号に応じて、消画部２３４から供給される番組信号のうちの画像信号に、OSD画像信号を重畳する。OSD重畳部１２は、重畳後の画像信号、または、消画部２３４から供給された画像信号そのものを含む番組信号を、SCART端子を介した通信やHDMI（High-Definition Multimedia Interface）通信などにより、受信装置２０１の通信部２１３に送信する。
【０１４０】
入力部２３６は、例えば、図示せぬリモートコントローラから送信されてくる指令を受信する受信部、ボタン、キーボード、マウス、スイッチなどから構成され、ユーザからの指令を受け付ける。入力部２３６は、ユーザからの指令に応じて、各種の指令を制御部２３７に供給する。
【０１４１】
例えば、入力部２３６は、ユーザからの、所望のチャンネルの番組の記録または再生の開始の指令に応じて、その番組を記録または再生するための指令を制御部２３７に供給する。また、入力部２３６は、ユーザからの再生対象の切換えの指令に応じて、再生対象を切り換えるための指令を制御部２３７に供給する。さらに、入力部２３６は、ユーザからのOSD画像の表示の開始または終了の指令に応じて、OSD画像の表示の開始または終了の指令を制御部２３７に供給する。
【０１４２】
制御部２３７は、入力部２３６から入力される指令などに対応して、各種の処理を実行する。例えば、制御部２３７は、所望のチャンネルの番組を記録するための指令に対応して、チューナ２３１を制御し、その番組の番組信号を受信して、記録再生部２３２に記録させる。また、制御部２３７は、所望のチャンネルの番組を再生するための指令に対応して、記録再生部２３２とデコード部２３３を制御し、その番組の番組信号を記録再生部２３２から再生する。
【０１４３】
さらに、制御部２３７は、再生対象の切換えの指令に対応して、記録再生部２３２とデコード部２３３を制御し、切換え後の再生対象である番組信号を記録再生部２３２から再生する。また、制御部２３７は、再生対象の切換えの指令に対応して、HDMI通信のCECライン(Consumer Electronics Control Line)やCENELEC（European Committee for Electrotechnical Standardization）においてEN-50157として規定されているAVリンク（AV Link）などにより、消画信号を通信部２１３に送信し、その後、消画部２３４に消画指令信号を供給する。制御部２３７は、OSD画像の表示の開始の指令に対応して、OSD重畳部２３５に重畳指令信号を供給する。
【０１４４】
通信部２１３は、制御部２３７から消画信号を受信し、バス３７を介してMPU２１１に供給する。また、通信部２１３は、OSD重畳部２３５から番組信号を受信し、その番組信号のうちの画像信号を画像処理部２２１の消画部２５１に供給し、音声信号を音声処理部２２２に供給する。
【０１４５】
MPU２１１は、通信部２１３から供給される消画信号を、フレームレート変換部６１に供給する。また、MPU２１１は、図３のMPU３１と同様に、入力部３８から入力される入力切換えやチャンネル切換えの指令に対応して、消画指令信号を消画部１１に供給し、消画信号をフレームレート変換部６１に供給する。さらに、MPU２１１は、図３のMPU３１や図１１のMPU１５１と同様に、入力部３８から入力されるOSD画像の表示の開始の指令に対応して、重畳指令信号をOSD重畳部１２に供給する。
【０１４６】
図１６の画像処理部２２１は、OSD重畳部１２、フレームレート変換部６１、および消画部２５１により構成され、表示部３５は、パネル駆動部１４と表示パネル１５により構成される。
【０１４７】
消画部２５１には、デコード処理部３３または通信部２１３から供給される番組信号のうちの画像信号が、入力画像信号として入力される。消画部２５１は、MPU２１１から供給される消画指令信号に応じて、デコード処理部３３または通信部２１３から入力された入力画像信号を消画する。消画部２５１は、消画後の入力画像信号、または、入力された入力画像信号そのものを、OSD重畳部１２に供給する。
【０１４８】
次に、図１７を参照して、図１５のMPU２１１における制御処理について説明する。この制御処理は、例えば、受信装置２０１の電源がオンにされたとき、開始される。
【０１４９】
図１７のステップＳ１５１乃至Ｓ１６０の処理は、図８のステップＳ１１乃至Ｓ２０の処理と同様であるので、説明は省略する。
【０１５０】
ステップＳ１５９において、OSD画像の表示の停止の指令が入力されたと判定された場合、ステップＳ１６１において、MPU２１１は、記録再生装置２０２の制御部２３７から、通信部２１３を介して消画信号が入力されたかどうかを判定する。ステップＳ１６１において、消画信号が入力されたと判定された場合、ステップＳ１６２において、MPU２１１は、記録再生装置２０２から送信されてくる入力画像信号が消画されていると判定し、消画信号を画像処理部２２１のフレームレート変換部６１に出力する。
【０１５１】
一方、ステップＳ１６１において、消画信号が入力されていないと判定された場合、処理はステップＳ１６３に進む。
【０１５２】
ステップＳ１６３において、MPU２１１は、処理を終了するかどうか、例えば、入力部３８から電源のオフの指令が入力されたかどうかを判定する。ステップＳ１６３で処理を終了しないと判定された場合、処理はステップＳ１５１に戻り、上述した処理が繰り返される。一方、ステップＳ１６３で処理を終了すると判定された場合、処理は終了する。
【０１５３】
なお、図１５の受信装置２０１における画像処理は、図９に示した画像処理と同様であるので、説明は省略するが、受信装置２０１における画像処理は、例えば、デコード処理部３３または通信部２１３から入力画像信号が画像処理部２２１に入力されたとき、開始される。
【０１５４】
なお、上述した説明では、連続する画像信号の中間の時刻における画像信号が補間されたが、中間の時刻に限らず、任意の時刻における画像信号が補間されるようにしてもよい。
【０１５５】
また、本明細書において、プログラム記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０１５６】
さらに、本発明の実施の形態は、上述した実施の形態に限定されるものではなく、本発明の要旨を逸脱しない範囲において種々の変更が可能である。
【図面の簡単な説明】
【０１５７】
【図１】従来の画像処理装置の構成の一例を示すブロック図である。
【図２】従来の補間後の画像信号について説明する図である。
【図３】本発明を適用した受信装置の第１の実施の形態の構成例を示すブロック図である。
【図４】図３の受信装置における補間について説明するブロック図である。
【図５】図４のフレームレート変換部の詳細構成例を示すブロック図である。
【図６】前置補間処理と通常補間処理について説明する図である。
【図７】補間後の画像信号について説明する図である。
【図８】図３のMPUにおける制御処理について説明するフローチャートである。
【図９】図３の受信装置における画像処理について説明するフローチャートである。
【図１０】図９のステップＳ４７のフレームレート変換処理の詳細について説明するフローチャートである。
【図１１】本発明を適用した受信装置の第２の実施の形態の構成例を示すブロック図である。
【図１２】図１１の受信装置における補間について説明するブロック図である。
【図１３】図１１のMPUにおける制御処理について説明するフローチャートである。
【図１４】図１２の消画検出部における検出処理について説明するブローチャートである。
【図１５】本発明を適用した受信装置の第３の実施の形態の構成例を示すブロック図である。
【図１６】図１５の受信装置における補間について説明するブロック図である。
【図１７】図１５のMPUにおける制御処理について説明するフローチャートである。
【符号の説明】
【０１５８】
１１  消画部，  ３０  受信装置，  ３１  MPU,  ３８  入力部，  ５１  画像処理部，  ６１  フレームレート変換部，  ９２  検出部，  ９５  混合部，  １７１  消画検出部，  ２０２  記録再生装置，  ２１３  通信部
【図１】
2008263530.tif 000003
【図２】
2008263530.tif 000004
【図３】
2008263530.tif 000005
【図４】
2008263530.tif 000006
【図５】
2008263530.tif 000007
【図６】
2008263530.tif 000008
【図７】
2008263530.tif 000009
【図８】
2008263530.tif 000010
【図９】
2008263530.tif 000011
【図１０】
2008263530.tif 000012
【図１１】
2008263530.tif 000013
【図１２】
2008263530.tif 000014
【図１３】
2008263530.tif 000015
【図１４】
2008263530.tif 000016
【図１５】
2008263530.tif 000017
【図１６】
2008263530.tif 000018
【図１７】
2008263530.tif 000019